【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
第１のデータ実空間上の第１のデータを、第２のデータ実空間を符号化してなる第２のデータ符号化空間にマッピングするマッピング手段を備える、
ことを特徴とする情報符号化装置。
【請求項２】
第１のデータ実空間上の第１のデータを、第２のデータ実空間を符号化してなる第２のデータ符号化空間にマッピングするマッピング手段を備える、
ことを特徴とする情報符号化方法。
【請求項３】
第１のデータ実空間上の第１のデータが第２のデータ実空間を符号化した第２のデータ符号化空間にマッピングされてなる符号化データを第１のデータ実空間上に復号化する復号化手段を備える、
ことを特徴とする情報復号化装置。
【請求項４】
第１のデータ実空間上の第１のデータが第２のデータ実空間を符号化した第２のデータ符号化空間にマッピングされてなる符号化データを第１のデータ実空間上に復号化する復号化ステップを備える、
ことを特徴とする情報復号化方法。
【請求項５】
第１のデータ実空間上の第１のデータを第２の密度を以って第２のデータ実空間に変換するマッピング手段を備える、
ことを特徴とする情報符号化装置。
【請求項６】
第１のデータ実空間上の第１のデータを第２の密度を以って第２のデータ実空間に変換するマッピング・ステップを備える、
ことを特徴とする情報符号化方法。
【請求項７】
第１のデータ実空間上の第１のデータを第２の密度を以って第２のデータ実空間に変換されてなる符号化データを第１のデータ実空間上に第２の密度の逆数を以って逆変換する復号化手段を備える、
ことを特徴とする情報復号化装置。
【請求項８】
第１のデータ実空間上の第１のデータを第２の密度を以って第２のデータ実空間に変換されてなる符号化データを第１のデータ実空間上に第２の密度の逆数を以って逆変換する復号化ステップを備える、
ことを特徴とする情報復号化方法。
【請求項９】
画像以外の第１のデータを符号化する情報符号化装置であって、
第１のデータを画像フレームにマッピングして擬似的な画像フレームを作成するマッピング手段と、
該擬似的な画像フレームをそれぞれ複数枚連続させる擬似画像フレーム複製手段と、
を具備することを特徴とする情報符号化装置。
【請求項１０】
第１のデータはビット・ストリームで構成され、
前記マッピング手段は、該ビット・ストリームのビット値を画像フレームの画素に所定の密度を以ってマッピングする、
ことを特徴とする請求項９に記載の情報符号化装置。
【請求項１１】
第１のデータはビット・ストリームで構成され、
前記マッピング手段は、画像フレームを離散コサイン変換（ＤＣＴ）した符号化空間を構成する基底ベクトルに該ビット・ストリームのビット値をマッピングする、
ことを特徴とする請求項９に記載の情報符号化装置。
【請求項１２】
各擬似的な画像フレームが複数枚連続してなる画像フレーム群を動き補償する擬似画像フレーム符号化手段をさらに備える、
ことを特徴とする請求項９に記載の情報符号化装置。
【請求項１３】
前記擬似画像フレーム符号化手段はＭフレーム周期でイントラ・ピクチャを挿入し、
前記擬似画像フレーム複製手段は、各擬似的な画像フレームをＭ枚連続させる、
ことを特徴とする請求項１２に記載の情報符号化装置。
【請求項１４】
画像以外の第１のデータを符号化する情報符号化方法であって、
第１のデータを画像フレームにマッピングして擬似的な画像フレームを作成するマッピング・ステップと、
該擬似的な画像フレームをそれぞれ複数枚連続させる擬似画像フレーム複製ステップと、
を具備することを特徴とする情報符号化方法。
【請求項１５】
第１のデータを画像フレームにマッピングして生成された擬似的な各画像フレームを複数枚連続させてなる擬似的な画像フレーム群が動き補償により符号化された擬似的な符号化画像から第１のデータを復号化する情報復号化装置であって、
擬似的な符号化画像を動き補償により復号化して擬似的な画像フレーム群を作成する復号化手段と、
該復号化された画像フレーム群からＭフレーム間隔で画像フレームを取り出して画像フレームの組を形成して、各画像フレームの組毎に画像フレームを第１のデータに再マッピングする再マッピング手段と、
各画像フレームの組についての再マッピングの結果をエラー検証して、最もエラーの少ない再マッピング結果を復号化された第１のデータとして出力する出力手段と、
を具備することを特徴とする情報復号化装置。
【請求項１６】
前記再マッピング手段は、動き補償時にイントラ・ピクチャが挿入されるフレーム周期に相当するＭフレーム間隔で画像フレームを取り出して画像フレームの組を形成して、再マッピングを行う、
ことを特徴とする請求項１５に記載の情報復号化装置。
【請求項１７】
第１のデータはビット・ストリームで構成され、該ビット・ストリームのビット値が画像フレームの画素に所定の密度を以ってマッピングされており、
前記再マッピング手段は、画像フレームを第２の密度の逆数を以って第１のデータに逆変換する、
ことを特徴とする請求項１５に記載の情報復号化装置。
【請求項１８】
第１のデータはビット・ストリームで構成され、画像フレームを離散コサイン変換（ＤＣＴ）した符号化空間を構成する基底ベクトルに該ビット・ストリームのビット値がマッピングされており、
前記再マッピング手段は、基底ベクトルにマッピングされたビット値をビット・ストリームに再マッピングする、
ことを特徴とする請求項１５に記載の情報復号化装置。
【請求項１９】
第１のデータを画像フレームにマッピングして生成された擬似的な各画像フレームを複数枚連続させてなる擬似的な画像フレーム群が動き補償により符号化された擬似的な符号化画像から第１のデータを復号化する情報復号化方法であって、
擬似的な符号化画像を動き補償により復号化して擬似的な画像フレーム群を作成する復号化ステップと、
該復号化された画像フレーム群からＭフレーム間隔で画像フレームを取り出して画像フレームの組を形成して、各画像フレームの組毎に画像フレームを第１のデータに再マッピングする再マッピング・ステップと、
各画像フレームの組についての再マッピングの結果をエラー検証して、最もエラーの少ない再マッピング結果を復号化された第１のデータとして出力する出力ステップと、
を具備することを特徴とする情報復号化方法。
【請求項２０】
情報を符号化するための情報符号化処理をコンピュータ・システム上で実行するように記述されたコンピュータ・ソフトウェアをコンピュータ可読形式で物理的に格納した記憶媒体であって、前記コンピュータ・ソフトウェアは、
符号化対象となる情報を画像フレームにマッピングして擬似的な画像フレームを作成するマッピング・ステップと、
該擬似的な画像フレームをそれぞれＭ枚連続させる擬似画像フレーム複製ステップと、
各擬似的な画像フレームがＭ枚連続してなる画像フレーム群をＭフレーム周期でイントラ・ピクチャを挿入して動き補償する擬似画像フレーム符号化ステップと、
該符号化された擬似的な画像フレームを動き補償により復号化して擬似的な画像フレーム群を作成する復号化ステップと、
該復号化された画像フレーム群からＭフレーム間隔で画像フレームを取り出して画像フレームの組を形成して、各画像フレームの組毎に画像フレームを第１のデータに再マッピングする再マッピング・ステップと、
各画像フレームの組についての再マッピングの結果をエラー検証して、最もエラーの少ない再マッピング結果を復号化された第１のデータとして出力する出力ステップと、
を具備することを特徴とする記憶媒体。
【請求項２１】
情報を符号化するための情報符号化処理をコンピュータ・システム上で実行するように記述されたコンピュータ・プログラムであって、
符号化対象となる情報を画像フレームにマッピングして擬似的な画像フレームを作成するマッピング・ステップと、
該擬似的な画像フレームをそれぞれＭ枚連続させる擬似画像フレーム複製ステップと、
各擬似的な画像フレームがＭ枚連続してなる画像フレーム群をＭフレーム周期でイントラ・ピクチャを挿入して動き補償する擬似画像フレーム符号化ステップと、
該符号化された擬似的な画像フレームを動き補償により復号化して擬似的な画像フレーム群を作成する復号化ステップと、
該復号化された画像フレーム群からＭフレーム間隔で画像フレームを取り出して画像フレームの組を形成して、各画像フレームの組毎に画像フレームを第１のデータに再マッピングする再マッピング・ステップと、
各画像フレームの組についての再マッピングの結果をエラー検証して、最もエラーの少ない再マッピング結果を復号化された第１のデータとして出力する出力ステップと、
を具備することを特徴とするコンピュータ・プログラム。